(57)【要約】      （修正有）【課題】単一のフィルタコーンフレームのみ使用可能で、容易にサイドカバーを着脱でき、製造コストが低減されたサイドオープン式の軸流フィルタの提供。【解決手段】ハウジング１０と、芯材２０と、フィルタコーンフレーム３０と、サイドカバーとを含み、組立て時に、フィルタコーンフレーム３０及び芯材２０を僅か斜めに一緒に径方向にハウジング１０内に入れ、フィルタコーンフレーム３０のリミットリブ３１は斜めにハウジング１０の第１の押当板１４とハウジング１０の内壁面との間に貫設され、且つリミットリブ３１の内押当部３３は第１の押当板１４に当接し、そして、内押当部３３と第１の押当板１４との当接箇所を支点として、芯材２０及びフィルタコーンフレーム３０をハウジング１０の排気口１２に向かって正確な位置に調整し、リミットリブ３１の他側の外押当部３２をハウジング１０の内壁面に当接させて組み立てるサイドオープン式の軸流フィルタ。【選択図】図６
2019126803.tif 000002
【特許請求の範囲】
【請求項１】
互いに垂直する軸方向及び径方向を備えるハウジングであって、
当該軸方向に沿って当該ハウジングの一端に成形される空気進入口と、
当該軸方向に当該ハウジングの当該空気進入口に対向する他端に成形される排気口と、
当該ハウジングの当該径方向に沿う一側面に成形され、当該空気進入口と当該排気口とを互いに連通し合う取付開口と、
それぞれ当該ハウジングの対向する両側の内壁面に突出成形され、且つ当該排気口に隣接し、当該取付開口とそれぞれ当該ハウジングの当該径方向に沿う対向する両側に位置する両第１の押当板とを含むハウジングと、
当該ハウジング内に設置される芯材と、
当該芯材の当該軸方向に沿う一端に設置され、且つ、当該ハウジング内に設置され、当該ハウジングの当該排気口に隣り合い、その対向する両側にはそれぞれリミットリブが突設され、当該フィルタコーンフレームの当該両リミットリブがそれぞれ当該両第１の押当板と当該ハウジングの内壁面との間に貫設され、各当該リミットリブ上に当該ハウジングの当該排気口に向かって当該ハウジングの当該内壁面に当接する外押当部が突出成形され、各当該リミットリブ上に当該ハウジングの当該空気進入口に向かって当該第１の押当板に当接する内押当部が突出成形され、当該内押当部と当該第１の押当板との当接箇所は当該外押当部と当該ハウジングの当該内壁面との当接箇所の径方向外側にあるフィルタコーンフレームと、
当該フィルタコーンフレーム上に設置され且つ当該フィルタコーンフレームと当該ハウジングとの間に介在する密封材と、
当該ハウジング上に取外可能に設置され、当該取付開口を遮蔽し、当該ハウジングの当該排気口に向かって当該フィルタコーンフレームに押え当てるサイドカバーとを含むサイドオープン式の軸流フィルタ。
【請求項２】
当該サイドカバーの内側面には当該ハウジングに向かって両第２の押当板が突出成形され、当該両第２の押当板はそれぞれ当該ハウジングの当該排気口に向かって当該フィルタコーンフレームの当該両リミットリブを押え当てる請求項１に記載のサイドオープン式の軸流フィルタ。
【請求項３】
当該フィルタコーンフレームの各当該外押当部は両ラグを含み、当該両ラグがそれぞれ当該ハウジングの対応する当該第１の押当板及び当該サイドカバーの対応する当該第２の押当板に隣り合う請求項２に記載のサイドオープン式の軸流フィルタ。
【請求項４】
当該サイドカバーの当該両第２の押当板はそれぞれ当該径方向に当該フィルタコーンフレームの当該両内押当部に密着する請求項２に記載のサイドオープン式の軸流フィルタ。
【請求項５】
当該フィルタコーンフレームの各当該リミットリブの径方向一側に第１の案内斜面が設置され、当該第１の案内斜面が対応する当該第１の押当板と当該ハウジングの当該内壁面との間に位置する請求項１〜４の何れか１項に記載のサイドオープン式の軸流フィルタ。
【請求項６】
当該フィルタコーンフレームの各当該内押当部の径方向一側に第２の案内斜面が設置され、当該第２の案内斜面が対応する当該第１の押当板と当該ハウジングの当該内壁面との間に位置する請求項１〜４の何れか１項に記載のサイドオープン式の軸流フィルタ。
【請求項７】
当該密封材が当該フィルタコーンフレーム外に周回して嵌めこまれ、且つ径方向に当該フィルタコーンフレームと当該ハウジングとの間に介在する請求項１〜４の何れか一項に記載のサイドオープン式の軸流フィルタ。
【請求項８】
取外可能に当該ハウジングの当該空気進入口に設置される多管式プレフィルターをさらに含む請求項１〜４の何れか一項に記載のサイドオープン式の軸流フィルタ。
【発明の詳細な説明】
【技術分野】
【０００１】
本発明は流体における浮遊粒子を分離するフィルタに関して、特に、サイドオープン式の軸流フィルタに関する。
【背景技術】
【０００２】
軸流フィルタは空気における浮遊微粒子を空気から分離するろ過装置であり、一般的には、これらの浮遊微粒子を排出しがちで空気品質が要求される場所、例えば、自動車の排気装置に配設される。従来の技術において、車両に配設された軸流フィルタは、車体の狭い内部スペースに合わせるように構成されるので、一般の軸流フィルタは一端を開いてその内部のフィルタコーンを置き換えることに対して、車用の軸流フィルタはサイドオープン方式でそのフィルタコーンを置き換え、これで狭い空間で置き換えることが出来る。
【０００３】
従来の技術における車用軸流フィルタは、まず中国公告番号第ＣＮ１０２５７４０４１Ｂ号特許「フィルタ挿入材及びろ過装置」をご参照ください。それはフィルタコーン（フィルタ挿入材）と、ハウジングと、サイドカバー（カップ）とを含み、ハウジング上に取付開口が成形され、フィルタコーンが当該取付開口を経て、ハウジング内に収納されることができ、サイドカバーを介してフィルタコーンが確固にハウジング内に設置される。
【０００４】
具体的に、フィルタコーンは主に、芯材（ろ過モジュール）と、フィルタコーンフレーム（骨組）と、密封材とを含み、フィルタコーンフレームは芯材の軸方向一端に嵌めこまれ、フィルタコーンフレームの両側にそれぞれ接触面が設置され、密封材はフィルタコーンフレームの軸方向一端に成形され、且つ軸方向にフィルタコーンフレームとハウジングの内壁面との間に当接することで、軸方向に密封する効果を達成する。
【０００５】
フィルタコーンをハウジングに入れた後で、ユーザはサイドカバーを当該取付開口からハウジング内に入れ、サイドカバーの対向する両側にはそれぞれハウジングに向かって締結ブラケットが突出成形され、各締結ブラケットは長手片板状であり、且つ各締結ブラケットの一側縁上に締結面が成形され、サイドカバーが次第に取り付けられた後で、両締結ブラケットの締結面はフィルタコーンフレームの両接触面の形状に従って、次第に密封材をフィルタコーンフレームに向かって軸方向に推進し、密封材を次第に押え付けることで、サイドカバーが完全にハウジング内に挿入られ、取付開口が閉鎖された後で、緊密に密封材を押え当て、フィルタコーンを軸方向に密封する目的を達成する。
【０００６】
しかしながら、この特許の構造は以下のような欠点がある。
【０００７】
第一に、フィルタコーンの密封は完全にサイドカバーの押え当てにより達成し、サイドカバーが取付開口からハウジングに入れる方向がサイドカバーがフィルタコーンフレームを押え当てる方向と互いに垂直するので、ユーザがサイドカバーを下へ押さえる力は完全にフィルタコーンフレーム上に伝達できなく、サイドカバーを下へ押さえてハウジングに収納する過程中に大きい力を付勢する必要があるので、サイドカバーをハウジングに取り付けても、ハウジングから取り外しても十分に力がかかる。
【０００８】
第二に、サイドカバーはフィルタコーンフレームを軸方向に押え当て固定させ、軸方向密封に必要な推進力は元々径方向密封より大きくなるので、サイドカバーの着脱に一層に力がかかるようになる。
【０００９】
第三に、軸方向密封のもう一つの問題は、フィルタコーン上に配設された密封材の材質が高い摩擦係数のゴム又はその他の類似の材料であるので、フィルタコーンをハウジングに入れる過程中において、密封材は絶えずにハウジングの内壁面の摩擦を受けて、配設上の難しさを起こす。
【００１０】
第四に、サイドカバーにおける両締結ブラケットは軸方向に押え当てる付勢力源であるので、フィルタコーンフレームがサイドカバーの他側に対しても確実に、密封材を軸方向に押え当てることを確保できるように、一定の長さを有する必要があるが、このような長さの締結ブラケットを製造するために、製造上に手間がかかり、大幅に、コストを向上させる同時に、その長すぎる板状外形も力を受けて破断する虞がある。
【００１１】
第五に、前記のように、締結ブラケットはフィルタコーンフレームを垂直に推進する設計は同時に受けた力が不均一の問題があり、具体的に、締結ブラケットのサイドカバーに最も近接する部分は最大の力を受けるが、サイドカバーから最も離れた部分は最小の力を受け、締結ブラケット整体の押当力の不均一を起こし、さらに、フィルタコーンフレームの受けた力が不均一になるので、締結ブラケットの長さを長くしても、フィルタコーンフレームのサイドカバーから離れた部分が密封材を押え当てる力は小さく、密封圧力が不平均で漏れる虞がある。
【００１２】
従来の車用軸流フィルタの第２の実施例はアメリカの公告番号第ＵＳ７９０５９３６Ｂ２号特許である「ＦＩＬＴＥＲ  ＡＰＰＡＮＧＥＭＥＮＴＳ；  ＨＯＵＳＩＮＧ；  ＡＳＳＥＭＢＬＩＥＳ；  ＡＮＤ，  ＭＥＴＨＯＤ」であり、その改善点はサイドカバーとハウジングの内壁面で共同でフィルタコーンを推進することにあるが、フィルタコーンの後端を推進する。
【００１３】
具体的には、ハウジングの内壁面上に斜面溝が設置され、フィルタコーンは芯材と両フィルタコーンフレームとを含み、両フィルタコーンフレームはそれぞれ芯材の前端と後端（軸方向両端）に設置され、フィルタコーンをハウジング内に入れる時に、後端を斜めに入れ、そして後端のフィルタコーンフレームを斜面溝の中に収容させ、そして、フィルタコーンを正確な位置に置き、フィルタコーンの前端の密封材を径方向にハウジングの内壁面に当接させ、続いて、サイドカバーを閉めて、サイドカバーを前に向かってフィルタコーンの後端のフィルタコーンフレームに当接させ、フィルタコーンを正確な位置に保持し、密封材の径方向密封を保持する。
【００１４】
しかしながら、この特許の構造の欠点は以下のようである。
【００１５】
第一に、フィルタコーンが後端から前へ推進され、フィルタコーンの前端で密封材をハウジングの内壁面に押え付けるので、付勢面積を増加するので、圧力を分散するために芯材の前後両端には何れもフィルタコーンフレームを設置する必要があり、これにより、推進力が芯材両端の特定箇所に集中することで押え付けによる変形損傷が発生することを防ぐが、両つのフィルタコーンフレームも製造コストを増加する。
【００１６】
第二に、前記のように、芯材が後端から前へ推進される、即ち、芯材の前後両端は何れもハウジングの内壁面及びサイドカバーなどの場所に当接するので、芯材の前後の長さ（軸方向長さ）の公差が多きすぎればいけなく、さもなければ、芯材が前後の長さが短すぎるので前後で緊密に当接できないことで、前へ推進する力が小さすぎるまたは前後の長さが長すぎるのでサイドカバーを閉めにくくなる。
【００１７】
第三に、前記のように、フィルタコーンが後端から前へ推進され、フィルタコーンの前端が密封材をハウジングの内壁面に押え付けるので、密封材を密封させる推進力は芯材を通り、芯材の材質が一般的には、紙などの軟性材質であり、また、使用後、濡れることでさらに軟化する可能性があるので、推進力に耐えることができないため、変形するように押え付けられて、さらに、密封材への推進力を低減させ、それに伴って、密封の効果を低減させる。
【００１８】
要するには、前述の２種類のフィルタはそれぞれ欠点があるので、改良が期待されている。
【発明の概要】
【発明が解決しようとする課題】
【００１９】
従来の技術の欠点及び不足に鑑みて、本発明はサイドオープン式の軸流フィルタを提供し、当該サイドオープン式の軸流フィルタは単一のフィルタコーンフレームだけ設置する必要があり、ハウジング及びサイドカバーを介して両側から共同でフィルタコーンフレームを推進するので、容易にサイドカバーを着脱でき、効果的に製造コストを低減させる。
【課題を解決するための手段】
【００２０】
上記の発明目的を達成するために、本発明に採用された技術的手段は、
互いに垂直する軸方向及び径方向を備えるハウジングであって、
当該軸方向に沿って当該ハウジングの一端に成形される空気進入口と、
当該軸方向に当該ハウジングの当該空気進入口に対向する他端に成形される排気口と、
当該ハウジングの当該径方向に沿う一側面に成形され、当該空気進入口と当該排気口とを互いに連通し合う取付開口と、
それぞれ当該ハウジングの対向する両側の内壁面に突出成形され、且つ当該排気口に隣接し、当該取付開口とそれぞれ当該ハウジングの当該径方向に沿う対向する両側に位置する両第１の押当板とを含むハウジングと、
当該ハウジング内に設置される芯材と、
当該芯材の当該軸方向に沿う一端に設置され、且つ、当該ハウジング内に設置され、当該ハウジングの当該排気口に隣り合い、その対向する両側にはそれぞれリミットリブが突設され、当該フィルタコーンフレームの当該両リミットリブがそれぞれ当該両第１の押当板と当該ハウジングの内壁面との間に貫設され、各当該リミットリブ上に当該ハウジングの当該排気口に向かって当該ハウジングの当該内壁面に当接する外押当部が突出成形され、各当該リミットリブ上に当該ハウジングの当該空気進入口に向かって当該第１の押当板に当接する内押当部が突出成形され、当該内押当部と当該第１の押当板との当接箇所は当該外押当部と当該ハウジングの当該内壁面との当接箇所の径方向外側にあるフィルタコーンフレームと、
当該フィルタコーンフレーム上に設置され且つ当該フィルタコーンフレームと当該ハウジングとの間に介在する密封材と、
当該ハウジング上に取外可能に設置され、当該取付開口を遮蔽し、当該ハウジングの当該排気口に向かって当該フィルタコーンフレームに押え当てるサイドカバーとを含むサイドオープン式の軸流フィルタを提供する。
【００２１】
本発明の利点は、組立過程において、ユーザはまず、フィルタコーンフレームを芯材上に配設し、両者を僅か斜めに一緒に取付開口からハウジング内に入れ、入れた後で、フィルタコーンフレームのリミットリブは斜めにハウジングの第１の押当板とハウジングの内壁面との間に貫設され、そしてリミットリブ上の内押当部を第１の押当板上に当接させ、ユーザは続いて内押当部と第１の押当板との当接箇所を支点とし、芯材及びフィルタコーンフレームをハウジングの排気口に向かって正確な位置に調整し、リミットリブ他側における外押当部をハウジングの内壁面に当接させ、最後には、サイドカバーを閉めると良い。サイドカバーは同様にハウジングの排気口に向かってフィルタコーンフレームを押え当てることで、フィルタコーンフレームを正確な位置にある状態を保持する。
【００２２】
配設時に、内押当部と第１の押当板との間の当接箇所を支点として芯材及びフィルタコーンフレームを動かし、外押当部をハウジングの内壁面に当接させ、フィルタコーンフレームの内外両側が受けた押当力同士は径方向に沿って位置のずれる力になり、さらに、確固で且つ力の強いモーメント（シーソー原理に類似する）が発生するが、また、ユーザにとって、付加する必要のある力はあまり大きくなくてもよいので、省力するとともにフィルタコーンフレームを緊密に押え当てる目的を達成することができる。本発明は大きい力で下へサイドカバーを抑えなくてもよいので、サイドカバーを便利に組立て及び取り外しすることができる。一方、フィルタコーンフレームの両側はそれぞれ第１の押当板及びサイドカバーに押え当てられるので、フィルタコーンフレームに均一の押当力がかかることができ、密封圧力の平均を確保し、漏れを起こしにくくなる。また、均一に力を受けることで、突出した距離が長い構造を設置しておらず、フィルタコーンフレーム、ハウジング又はサイドカバーの押え当て構造は大きすぎる力を受けるので破断損壊になることを防止できる。
【００２３】
最後には、本発明の単一のフィルタコーンフレームは前記の中国特許に記載のように長く突出した構造（締結ブラケット）を有する必要がないので、製造コスト上にも、相対的に低い。また、本発明は単一のフィルタコーンフレームだけ使う必要があるので、前記のアメリカの特許に比べると、効果的にコストを低減させることが出来る。さらに、本発明の芯材の後端には他の物を当接させる必要がないので、芯材の軸方向長さの公差を考慮する必要がなく、それだけではなく、ひいては、同一のハウジングを異なる長さの芯材に適用することが出来る。最後には、本発明のハウジング及びサイドカバーは当該フィルタコーンフレームに直接押え当てると共に、当該フィルタコーンフレームを密封材に直接当接させることで、密封材を押え付ける力は芯材を通らないので、芯材がこれにより変形又は損壊するように押え付けられることを防止できる。
【図面の簡単な説明】
【００２４】
【図１】図１は本発明の外観斜視図。
【図２】図２は本発明の部材分解図。
【図３】図３は本発明の他の角度における部材分解図。
【図４】図４は本発明のハウジングの斜視断面図。
【図５】図５は本発明の正面断面図。
【図６−８】図６〜図８は本発明の組立て動作概念図。
【図９】図９は図６のステップにおける部分拡大断面図。
【図１０】図１０は図８のステップにおける部分拡大断面図。
【図１１】図１１は本発明のもう一つの実施例の側面図。
【発明を実施するための形態】
【００２５】
以下、図面及び本発明の好適な実施例を参照し、本発明が予定の発明目的を達成するために採用された技術的手段をさらに述べる。
【００２６】
図１及び図２に示すように、本発明のサイドオープン式の軸流フィルタはハウジング１０と、芯材２０と、フィルタコーンフレーム３０と、密封材４０と、サイドカバー５０とを含む。
【００２７】
図３及び図４に示すように、ハウジング１０は互いに垂直する軸方向及び径方向を有し、ハウジング１０内には、内部スペースと、空気進入口１１と、排気口１２と、取付開口１３と、両第１の押当板１４とが含まれ、空気進入口１１は軸方向に沿ってハウジング１０の一端に成形され、排気口１２は軸方向に沿ってハウジング１０の当該空気進入口１１に対向する他端に成形され、取付開口１３がハウジング１０の径方向に沿う一側面に成形され、且つ空気進入口１１、排気口１２及び取付開口１３は内部スペースを介して連通され、両第１の押当板１４はそれぞれハウジング１０の対向する両側の内壁面上に突設され、且つ、両第１の押当板１４が隣接する排気口１２に設置され、またこれらの第１の押当板１４及び取付開口１３はそれぞれハウジング１０の径方向に沿う対向する両側に位置する。
【００２８】
図１〜図４に示すように、具体的には、図面における方位から見れば、取付開口１３はハウジング１０の横方向一側に設置される一方、両第１の押当板１４はそれぞれハウジング１０の前後両側に設置されるが、この方位に限られない。
【００２９】
図２及び図３に示すように，芯材２０はハウジング１０内に設置され、芯材２０は各種類及び形状に限られず、例えば、形状が円形又はラン・ウェイ形等でもよく、芯材２０は通る流体をろ過する目的を達成すればよい。本実施例において、芯材２０はハニカム状の芯材２０であり、そして複数の軸方向の通路を備えるが、これに限られず、芯材２０は蛇腹式の芯材２０でもよい。芯材２０の種類が限定されないので、図面において、模式的に図示している。
【００３０】
図２、図３及び図５に示すように、フィルタコーンフレーム３０は芯材２０の軸方向一端に嵌めこまれ、且つ、ハウジング１０の排気口１２に隣り合い、本実施例において、芯材２０の排気口１２に隣り合う一端にフィルタコーンフレーム３０がはめ込まれていればよい。芯材２０の空気進入口１１に隣り合う一端にはフィルタコーンフレームを設置する必要がなく、さらに言えば、芯材２０の空気進入口１１に隣り合う一端とハウジング１０との間は間隔を空けて設置されるので、芯材２０の当該端が押え当てられていない。
【００３１】
図４、図９及び図１０に示すように、フィルタコーンフレーム３０の対向する両側にはそれぞれリミットリブ３１が突設され、当該両リミットリブ３１はそれぞれ当該両第１の押当板１４とハウジング１０の内壁面１５との間に貫設され、且つ各リミットリブ３１上にそれぞれ外押当部３２、内押当部３３、両第１の案内斜面３４及び両第２の案内斜面３５が成形されている。
【００３２】
外押当部３２はハウジング１０の排気口１２に向かって突出形成され、且つハウジング１０の内壁面１５に当接され、本実施例において、各当該外押当部３２は両ラグ３２１を含み、それらはそれぞれリミットリブ３１の両端に隣り合い、これで均一にハウジング１０の内壁面１５を押え当てるが、外押当部３２の形状がこれに限られない。それは長手状の突条又は複数の小さいラグでもよい。
【００３３】
内押当部３３はハウジング１０の空気進入口１１に向かって突出形成され、且つ第１の押当板１４に当接し、具体的には、内押当部３３と第１の押当板１４との当接箇所は外押当部３２とハウジング１０の内壁面１５との当接箇所の径方向に沿う外側（図１０に示すように）にある。言い換えれば、外押当部３２とハウジング１０の内壁面１５との当接箇所は内押当部３３と第１の押当板１４との当接箇所に比べると、排気口１２の軸方向に沿う中心に近接し、本実施例において、内押当部３３は長手状の突条であるが、これに限られず、その他の形状に変えてもよい。
【００３４】
両第１の案内斜面３４はそれぞれリミットリブ３１の径方向に沿う対向する両側に成形され、且つ、取付開口１３に比較的に遠い第１の案内斜面３４は第１の押当板１４とハウジング１０の内壁面１５との間にある。
【００３５】
両第２の案内斜面３５はそれぞれ内押当部３３が径方向に沿う対向する両側に成形され、且つ、取付開口１３に比較的に遠い第２の案内斜面３５は第１の押当板１４とハウジング１０の内壁面１５との間にある。
【００３６】
図２、図３及び図５に示すように、密封材４０はフィルタコーンフレーム３０上に嵌めこまれ、且つフィルタコーンフレーム３０とハウジング１０との間に介在され、本実施例において、フィルタコーンフレーム３０にリング状溝３６が径方向に周回して凹設される一方、密封材４０はリング状溝３６内に収容され、且つフィルタコーンフレーム３０とハウジング１０の内壁面との間に径方向に介在されるが、これに限られず、密封材４０はフィルタコーンフレーム３０とハウジング１０の内壁面との間に軸方向に介在されてもよい。
【００３７】
図２及び図３に示すように、サイドカバー５０は取外可能にハウジング１０上に設置され、且つ取付開口１３を遮蔽し、サイドカバー５０はハウジング１０の排気口１２に向かってフィルタコーンフレーム３０を押え当てる。図８及び図１０に示すように、本実施例において、サイドカバー５０の内側面にはハウジング１０に向かって両第２の押当板５１が突出成形され、当該両第２の押当板５１はそれぞれハウジング１０の排気口１２に向かってフィルタコーンフレーム３０の両リミットリブ３１を押え当てることで、フィルタコーンフレーム３０をハウジング１０の排気口１２に向かって押え当てるが、これに限られず、第２の押当板５１はリミットリブ３１以外の箇所に当接してもよく、又は、サイドカバー５０は第２の押当板５１を有せず、フィルタコーンフレーム３０から突出すると共に、サイドカバー５０内に貫設されてもよい。サイドカバー５０は同様に、フィルタコーンフレーム３０をハウジング１０の排気口１２に向かって押え当てることが出来る。
【００３８】
本実施例において、サイドカバー５０の両第２の押当板５１もそれぞれ径方向に沿ってフィルタコーンフレーム３０の両内押当部３３に密着することで、径方向にフィルタコーンフレーム３０の位置を制限し、フィルタコーンフレーム３０がハウジング１０に対してガタつくことを防ぐ。
【００３９】
図１０に示すように、なお、前記の外押当部３２の両ラグ３２１はそれぞれ径方向に沿ってハウジング１０の第１の押当板１４及びサイドカバー５０の第２の押当板５１に隣り合うことで、第１の押当板１４及び第２の押当板５１のリミットリブ３１に対する推進力は近く両ラグ３２１上に伝達することが出来る。
【００４０】
前記の両第１の案内斜面３４において、取付開口１３に比較的に近接する第１の案内斜面３４は対応する第２の押当板５１とハウジング１０の内壁面１５との間に設置されることで、サイドカバー５０を閉めるときに、サイドカバー５０の第２の押当板５１は第１の案内斜面３４に従ってリミットリブ３１及びフィルタコーンフレーム３０整体を推進することができ、サイドカバー５０を便利に閉めることが出来る。
【００４１】
図２、図３及び図５に示すように、本実施例において、取外可能にハウジング１０の空気進入口１１に設置される多管式プレフィルター６０をさらに含み、且つ当該多管式プレフィルター６０は複数のサイクロン６１と横空気管６２とを含み、これらのサイクロン６１は気体が軸方向に沿って通りそして多管式プレフィルター６０内に進入させ、プレフィルタリングの機能を果すことが出来る。横空気管６２は多管式プレフィルター６０の一側面に成形され、排塵カップ又は抽気管を接続することに適用でき、多管式プレフィルター６０の機能を向上させる。
【００４２】
図１１に示すように、本発明のもう一つの実施例において、多管式プレフィルターの代わりに、ハウジング１０Ａの空気進入口に入り口カバー７０Ａがさらに設置され、気体をハウジング１０Ａ内に進入させる。当該入り口カバー７０Ａは取外可能にハウジング１０Ａの空気進入口に設置され、入り口カバー７０Ａに気体導管インターフェース７１Ａが突設され、水が容易に進入しなように延長管を外付けてもよいが、気体導管インターフェース７１Ａの数量がこれに限られない。そのほかの数量であっても良い。
【００４３】
また、本発明のもう一つの実施例において、多管式プレフィルター又は入り口カバーの代わりに、ハウジングの空気進入口にガイドグリルをさらに設置することで、一定の体積の外物がハウジング内に吸入されることを防ぐことができる。また、雑物の吸入を防ぐために、ガイドグリル内にポーアが大きく流量に影響を与えない材料、例えばろ過綿などをさらに設置してもよい。
【００４４】
本発明は組立て時に大体三つのステップに分けることが出来る。
【００４５】
図６及び図９に示すように、まず、フィルタコーンフレーム３０を芯材２０上に配設し、両者３０、２０を僅か斜めに一緒に取付開口１３からハウジング１０内に入れ、フィルタコーンフレーム３０のリミットリブ３１を斜めにハウジング１０の第１の押当板１４とハウジング１０の内壁面１５との間に貫設させ、リミットリブ３１の内押当部３３を第１の押当板１４上に当接させ、この過程において、第１の案内斜面３４及び第２の案内斜面３５はリミットリブ３１の移動を引導できるとともに、第１の押当板１４とハウジング１０的内壁面１５との間に貫設されている。
【００４６】
図７及び図１０に示すように、続いて、内押当部３３と第１の押当板１４との当接箇所を支点とし、芯材２０及びフィルタコーンフレーム３０をハウジング１０の排気口１２に向かって正確な位置に調整し、リミットリブ３１の他側における外押当部３２をハウジング１０の内壁面１５に当接させる。リミットリブ３１の内外両側が受けた押当力同士は径方向に沿って位置がずれた力であり、さらに、確固で且つ力の強いモーメント（シーソー原理に類似する）が発生することで、フィルタコーンフレーム３０をハウジング１０の排気口１２に向かって緊密に当接させることができるが、ユーザにとって、付加する必要がある力があまり大きくなくてもよいので、省力すると共にフィルタコーンフレーム３０を緊密に押え当てる目的を達成することができる。  
【００４７】
図８及び図１０に示すように、最後に、サイドカバー５０を閉め、サイドカバー５０の両第２の押当板５１を第１の案内斜面３４を介してハウジング１０の排気口１２に向かってリミットリブ３１及びフィルタコーンフレーム３０整体を推進する。  
【００４８】
本発明は内押当部３３と第１の押当板１４との間の当接箇所を支点として芯材２０及びフィルタコーンフレーム３０を動かすことで、省力すると共に、フィルタコーンフレーム３０を緊密に押え当てる目的を達成することができ、また、本発明は径方向密封を採用しており、密封材４０にとって、径方向密封に必要な推進力が小さいので（軸方向密封に比べると）、省力する目的をさらに達成することができる同時に、径方向密封は密封材４０の摩擦を大幅に低減させることができる。
【００４９】
また、フィルタコーンフレーム３０の両側はそれぞれハウジング１０の第１の押当板１４及びサイドカバー５０の第２の押当板５１に押え当てられるので、フィルタコーンフレーム３０が均一の押当力を受けることで、密封圧力の平均を確保し、漏れを起こしにくい。そして、フィルタコーンフレーム３０、ハウジング１０又はサイドカバー５０の押え当て構造が受けた力が大きすぎるので破断損壊することを防ぐことが出来る。
【００５０】
さらに、本発明は単一のフィルタコーンフレーム３０だけを使う必要があり、且つ押え当て構造が単純であるので、効果的に製造コストを低減させることが出来る。単一のフィルタコーンフレーム３０だけを使う必要があるので、同一のハウジング１０を長さの異なる芯材２０に適用することが出来る。
【００５１】
最後には、本発明のハウジング１０及びサイドカバー５０はフィルタコーンフレーム３０を直接押え当て、フィルタコーンフレーム３０を密封材４０に直接当接させることで、密封材４０を押え付ける力は芯材２０を通らず芯材２０がこれにより変形又は損壊するように押し付けられることを防ぐことが出来る。
【符号の説明】
【００５２】
１０ハウジング                        
１１空気進入口
１２排気口                            
１３取付開口
１４第１の押当板                      
１５内壁面
２０芯材                              
３０フィルタコーンフレーム
３１リミットリブ                      
３２外押当部
３２１ラグ                            
３３内押当部
３４第１の案内斜面                    
３５第２の案内斜面
３６リング状溝                        
４０密封材
５０サイドカバー                      
５１第２の押当板
６０多管式プレフィルター              
６１サイクロン
６２横空気管                          
１０Ａハウジング                      
７０Ａ入り口カバー
７１Ａ気体導管インターフェース
【図１】
2019126803.tif 000003
【図２】
2019126803.tif 000004
【図３】
2019126803.tif 000005
【図４】
2019126803.tif 000006
【図５】
2019126803.tif 000007
【図６】
2019126803.tif 000008
【図７】
2019126803.tif 000009
【図８】
2019126803.tif 000010
【図９】
2019126803.tif 000011
【図１０】
2019126803.tif 000012
【図１１】
2019126803.tif 000013